(57)【要約】【課題】プライバシーを保護しつつ、かつ誤認識を少なく異常を自動報知できるインターネット安否遠隔監視方法を提供すること。【解決手段】インターネット安否遠隔監視システム１は、複数の通過センサ３０ａ〜３０ｅを被監視者の自宅の通路に配置し、通過を検出すると監視端末２によりインターネット５を介し常時接続された安否遠隔監視サーバ４に逐次送信する。この信号は通過履歴マスタ４６に通過履歴として記憶され、監視者ＰＣ６や携帯電話８で時間と場所がマトリクス画面として一覧表示され、被監視者の状態を詳細に把握できる。また、通過した時間・場所・状態から判定テーブル４７に記憶された判定基準により異常が自動判定され、所定のＵＲＬとともに電子メールが監視者ＰＣ６や携帯電話８に送信される。このＵＲＬにより監視端末２のカメラ２９により監視者をリアルタイムの映像で確認できる。【選択図】      図１
2004326623.tif 000002
【特許請求の範囲】
【請求項１】
送受信手段を有するサーバコンピュータがインターネットを介して所定の管理区域内での被監視者の安否を監視するインターネット安否遠隔監視方法であって、
前記サーバコンピュータが、
前記管理区域内の複数の検出場所に設けられた通過検出手段を有した監視端末により送信された前記被監視者の前記検出場所の通過を検出した信号をインターネットを介して入力する通過検出信号入力のステップと、
前記複数の通過検出手段のうちのいずれの通過検出手段が被監視者の通過を検出したか否かを判断して時刻情報とともに通過履歴として通過履歴記憶手段に記憶する通過履歴記憶のステップと、
前記通過履歴記憶手段の記憶に基づいて、所定の基準に基づいて異常であるか否かを判定する異常判定のステップと、
前記異常判定のステップにより異常と判定された場合に監視者に所定の報知手段で報知する報知のステップを実行する
ことを特徴とするインターネット安否遠隔監視方法。
【請求項２】
前記被監視者の状態を判断するために、所定の入力手段から当該被監視者により入力され、前記監視端末から送信された状態情報をインターネットを介して入力する状態情報入力のステップをさらに実行し、
前記異常判定のステップは、前記状態情報入力のステップで入力された状態情報に応じて、前記所定の基準が異なることを特徴とする請求項１に記載のインターネット安否遠隔監視方法。
【請求項３】
前記状態情報入力のステップで入力される状態情報が被監視者の在宅状態若しくは不在状態であって、
前記異常判定のステップは、前記状態情報として不在状態の情報が入力されている場合に、所定の通過検出手段で通過を検出したときに、不法侵入として所定条件で異常と判定することを特徴とする請求項２に記載のインターネット安否遠隔監視方法。
【請求項４】
前記異常判定のステップにより異常と判定された場合に、前記サーバコンピュータは、前記監視端末の前記管理区域内の映像を配信可能な撮影手段を稼働させてインターネットからアクセス可能とする異常時映像配信のステップと、
前記報知のステップは、前記監視者への報知において、前記アクセスに必要なＵＲＬ若しくはＩＰアドレスを電子メールで送信する異常映像アクセスポイント通知のステップを実行する
ことを特徴とする請求項１乃至請求項３のいずれかに１項に記載のインターネット安否遠隔監視方法。
【請求項５】
前記異常時映像配信のステップは、前記異常判定のステップにより異常と判定された場合に、当該映像を監視者の端末からの映像配信の要求があったことを条件に前記端末の表示手段に表示させることを特徴とする請求項４に記載のインターネット安否遠隔監視方法。
【請求項６】
前記通過履歴記憶手段の記憶に基づいて、複数の時間帯毎における前記通過検出手段の位置毎の通過の履歴をマトリクス表示をするためのデータを監視者の表示手段に送信するマトリクスデータ送信のステップ
をさらに実行することを特徴とする請求項１乃至請求項５のいずれか１項に記載のインターネット安否遠隔監視方法。
【請求項７】
前記被監視者の状態を判断するために、当該被監視者により状態情報が所定の入力手段から入力されたときに状態情報入力のステップをさらに実行し、
前記マトリクスデータ送信のステップは、前記状態情報入力のステップにおいて入力された状態情報に基づいて、異なる状態では異なる表示を行うデータを送信することを特徴とする請求項６に記載の安否遠隔監視方法。
【請求項８】
前記状態情報入力のステップで入力された状態情報が被監視者の在宅状態若しくは不在状態であって、
前記マトリクスデータ送信のステップは、前記状態情報入力のステップで入力された状態情報が在宅状態と不在状態とで前記監視者の表示手段において表示されるマトリクス表示を、時間帯毎に在宅若しくは不在を異なる色彩とするデータを送信する
ことを特徴とする請求項７に記載のインターネット安否遠隔監視方法。
【請求項９】
前記マトリクスデータ送信のステップにおいて前記監視者の表示手段に表示されたマトリクス表示において選択された時間帯について、監視者の表示手段に前記複数の通過検出手段毎の表示と、当該表示された通過検出手段間の移動を示す移動の表示と、その時刻に推定される被監視者の所在の表示をさらに行うデータを監視者の表示手段に送信する被監視者所在表示データ送信のステップをさらに実行することを特徴とする請求項６乃至請求項８のいずれか１項に記載のインターネット安否遠隔監視方法。
【請求項１０】
請求項１乃至請求項９に記載のインターネット安否遠隔監視方法を、送受信手段を有するサーバコンピュータに実行させるためのインターネット安否遠隔監視プログラム。
【発明の詳細な説明】
【０００１】
【発明の属する技術分野】
本発明は、インターネット安否遠隔監視方法に係り、詳しくはプライバシーを保護しつつ、かつ少ない誤認識で異常を自動報知できるインターネット安否遠隔監視方法に関する。
【０００２】
【従来の技術】
従来の安否遠隔監視方法では、例えば、情報収集をする現場に３６０°全周囲を撮影範囲とする全周カメラを配置して現場状況を撮影するものがある。この方法では撮影した生映像を、姿勢などに応じて数値化して時系列の折れ線グラフなどで示されるプライバシー侵害の懸念がない抽象的表現で現場で生起している事態を伝える抽象化情報に変換する。この折れ線グラフを予め算出しておいた正常時のグラフと比較することで異常を検出する。異常を検出した場合は、通信網を通じて予め登録された通報先に送る。当該抽象化情報を受け取った通報先の受信装置は抽象的に表現された前記事態を理解容易な表現形式に変換したうえ受信者に知らせるような現場情報報知方法が提案されている（特許文献１参照）。
【０００３】
また、在宅モード若しくは不在モードを設定するモード設定手段を備え、在宅時に人体検出手段が侵入者や来訪者を検出した場合は監視員や在宅者に画像を表示し、不在時に来訪者や侵入者を検出した場合には静止画像で記憶する画像監視システムなどが提案されている（特許文献２参照）。
【０００４】
これらの方法やシステムでも、遠隔の場所から対象を監視することができた。
【０００５】
【特許文献１】
特開２００２−２４９６２号公報（段落番号００３３、００３６−００３８、第８図）
【特許文献２】
特開２００２−２１８４３７号公報（段落番号００１５、００２０−００２５）
【０００６】
【発明が解決しようとする課題】
しかしながら、特許文献１に示されたような従来の安否遠隔監視方法では対象者となる人間の姿勢などを抽象的な数値化して異常を判断するため、プライバシーの保護はされても、誤認識が多くなるという問題があった。また、カメラの視野内から外れれば認識ができないため広いエリアでの管理ができないという問題もあった。
【０００７】
一方、特許文献２に示されたようなシステムでは、在宅モード若しくは不在モードの切替ができるため、異常の誤認識が少なくできるが、生映像を表示したり、静止画像などをそのまま送信するため、プライバシーの保護の面で問題があった。
【０００８】
さらに、従来の専用回線を用いたものや、ダイヤルアップにより電話回線を用いるものは、通信費が嵩み、特にリアルタイムで監視する場合はコスト面で問題があった。
【０００９】
上記課題を解決するため、本発明は、プライバシーを保護しつつ、かつ少ない誤認識で異常を自動報知できるインターネット安否遠隔監視方法を提供することを目的とする。
【００１０】
また、併せて非常時には、映像や音声により現状を明確に把握することができるインターネット安否遠隔監視方法を提供することも目的とする。
さらに、安価に、かつ、リアルタイムで監視することができるインターネット安否遠隔監視装置をも提供することを目的とする。
【００１１】
また、被監視者を監視する目的で一般家庭の介護用の目的に限らず、広く店舗・工場内の動線管理・防犯等でも利用することも併せて目的とする。
【００１２】
【課題を解決するための手段】
請求項１に係るインターネット安否遠隔監視方法では、送受信手段を有するサーバコンピュータがインターネットを介して所定の管理区域内での被監視者の安否を監視するインターネット安否遠隔監視方法であって、前記サーバコンピュータが、前記管理区域内の複数の検出場所に設けられた通過検出手段を有した監視端末により送信された前記被監視者の前記検出場所の通過を検出した信号をインターネットを介して入力する通過検出信号入力のステップと、前記複数の通過検出手段のうちのいずれの通過検出手段が被監視者の通過を検出したか否かを判断して時刻情報とともに通過履歴として通過履歴記憶手段に記憶する通過履歴記憶のステップと、前記通過履歴記憶手段の記憶に基づいて、所定の基準に基づいて異常であるか否かを判定する異常判定のステップと、前記異常判定のステップにより異常と判定された場合に監視者に所定の報知手段で報知する報知のステップを実行することを要旨とする。
【００１３】
この構成に係るインターネット安否遠隔監視方法では、サーバコンピュータにより、通過検出信号入力のステップで被監視者の通過を検出した信号をインターネット経由で入力して通過履歴を生成する。この通過履歴に基づいて異常判定のステップで異常判定を行い、異常があった場合は報知のステップで監視者に自動的に報知できる。特に複数の検出手段を用いることで、プライバシーを保護しつつ、誤認識のすくない判定ができるという効果がある。
【００１４】
請求項２に係るインターネット安否遠隔監視方法では、請求項１に記載のインターネット安否遠隔監視方法の構成に加え、前記被監視者の状態を判断するために、所定の入力手段から当該被監視者により入力され、前記監視端末から送信された状態情報をインターネットを介して入力する状態情報入力のステップをさらに実行し、前記異常判定のステップは、前記状態情報入力のステップで入力された状態情報に応じて、前記所定の基準が異なることを要旨とする。
【００１５】
この構成に係るインターネット安否遠隔監視方法では、請求項１に記載のインターネット安否遠隔監視方法の効果に加え、被監視者の状態が情報として入力されるため、この状態に応じた異常の判定を適切に行うことができるという効果がある。
【００１６】
請求項３に係るインターネット安否遠隔監視方法では、請求項２に記載のインターネット安否遠隔監視方法の構成に加え、前記状態情報入力のステップで入力される状態情報が被監視者の在宅状態若しくは不在状態であって、前記異常判定のステップは、前記状態情報として不在状態の情報が入力されている場合に、所定の通過検出手段で通過を検出したときに、不法侵入として所定条件で異常と判定することを要旨とする。
【００１７】
この構成に係るインターネット安否遠隔監視方法では、請求項２に記載のインターネット安否遠隔監視方法の効果に加え、被監視者が在宅であるか不在であるかがわかるため、たとえば、不在時に通過検出手段が通過を検出すれば、その通過は不法侵入である蓋然性が著しく高いことがわかり、異常をより精度良く判定することができるという効果がある。
【００１８】
請求項４に係るインターネット安否遠隔監視方法では、請求項１乃至請求項３のいずれか１項に記載のインターネット安否遠隔監視方法の構成に加え、前記異常判定のステップにより異常と判定された場合に、前記サーバコンピュータは、前記監視端末の前記管理区域内の映像を配信可能な撮影手段を稼働させてインターネットからアクセス可能とする異常時映像配信のステップと、前記報知のステップは、前記監視者への報知において、前記アクセスに必要なＵＲＬ若しくはＩＰアドレスを電子メールで送信する異常映像アクセスポイント通知のステップを実行することを要旨とする。
【００１９】
この構成に係るインターネット安否遠隔監視方法では、請求項１乃至請求項３のいずれか１項に記載のインターネット安否遠隔監視方法の効果に加え、通常時は、被監視者の所定場所の通過のみを検出して、そのプライバシーを保護するが、異常が検出された場合は、プライバシーより安全確保が重要視される。そのため、被監視者の管理区域での映像を監視者にリアルタイムで配信することで状況を正確に把握しより適切な対応をすることが可能となるという効果がある。
【００２０】
請求項５に係るインターネット安否遠隔監視方法では、請求項４に記載のインターネット安否遠隔監視方法の構成に加え、前記異常時映像配信のステップは、前記異常判定のステップにより異常と判定された場合に、当該映像を監視者の端末からの映像配信の要求があったことを条件に前記端末の表示手段に表示させることを要旨とする。
【００２１】
この構成に係るインターネット安否遠隔監視方法では、請求項４に記載のインターネット安否遠隔監視方法の効果に加え、インターネットにより映像を配信可能にするため、第三者が映像を見ることも考えられる。そこで、監視者からの映像配信の要求があった場合のみ映像を配信することで被監視者のプライバシーを保護できるという効果がある。
【００２２】
請求項６に係るインターネット安否遠隔監視方法では、請求項１乃至請求項５のいずれか１項に記載のインターネット安否遠隔監視方法の構成に加え、前記通過履歴記憶手段の記憶に基づいて、複数の時間帯毎における前記通過検出手段の位置毎の通過の履歴をマトリクス表示をするためのデータを監視者の表示手段に送信するマトリクスデータ送信のステップをさらに実行することを要旨とする。
【００２３】
この構成に係るインターネット安否遠隔監視方法では、請求項１乃至請求項５のいずれか１項に記載のインターネット安否遠隔監視方法の効果に加え、場所毎の通過を時系列で一覧することができるため、通過履歴から被監視者の状況を推測することが容易になるという効果がある。
【００２４】
請求項７に係るインターネット安否遠隔監視方法では、請求項６に記載のインターネット安否遠隔監視方法の構成に加え、前記被監視者の状態を判断するために、当該被監視者により状態情報が所定の入力手段から入力されたときに状態情報入力のステップをさらに実行し、前記マトリクスデータ送信のステップは、前記状態情報入力のステップにおいて入力された状態情報に基づいて、異なる状態では異なる表示を行うデータを送信することを要旨とする。
【００２５】
この構成に係るインターネット安否遠隔監視方法では、請求項６に記載のインターネット安否遠隔監視方法の効果に加え、監視者がマトリクス表示において、どの時間帯がどの状態かがわかり、被監視者の状況を適切に把握できるという効果がある。
【００２６】
請求項８に係るインターネット安否遠隔監視方法では、請求項７に記載のインターネット安否遠隔監視方法の構成に加え、前記状態情報入力のステップで入力された状態情報が被監視者の在宅状態若しくは不在状態であって、前記マトリクスデータ送信のステップは、前記状態情報入力のステップで入力された状態情報が在宅状態と不在状態とで前記監視者の表示手段において表示されるマトリクス表示を、時間帯毎に在宅若しくは不在を異なる色彩とするデータを送信することを要旨とする。
【００２７】
この構成に係るインターネット安否遠隔監視方法では、請求項７に記載のインターネット安否遠隔監視方法の効果に加え、監視者がマトリクス表示において、どの時間帯が在宅で、どの時間帯が不在かがわかり、被監視者の状況を適切に把握できる。さらに、被監視者自身も外出中の自宅に異常が発生しているか否かを知ることもできるという効果がある。
【００２８】
請求項９に係るインターネット安否遠隔監視方法では、請求項６乃至請求項８のいずれか１項に記載のインターネット安否遠隔監視方法の構成に加え、前記マトリクスデータ送信のステップにおいて前記監視者の表示手段に表示されたマトリクス表示において選択された時間帯について、監視者の表示手段に前記複数の通過検出手段毎の表示と、当該表示された通過検出手段間の移動を示す移動の表示と、その時刻に推定される被監視者の所在の表示をさらに行うデータを監視者の表示手段に送信する被監視者所在表示データ送信のステップをさらに実行することを要旨とする。
【００２９】
この構成に係るインターネット安否遠隔監視方法では、請求項６乃至請求項８のいずれか１項に記載のインターネット安否遠隔監視方法の効果に加え、マトリクス表示では表示できないような同一の時間帯内での被監視者の移動の順序や、最終的な所在がわかる。そのため、監視者はマトリクス表示と相俟って、被監視者の過去及び現在の状態が詳細にわかるため、プライバシーを保持しつつ的確に状況を把握することができるという効果がある。なお、老人の介護などに限らず、大規模な倉庫の夜間の防犯管理等にも好適に適用できるものである。
【００３０】
請求項１０に係るインターネット安否遠隔監視プログラムでは、請求項１乃至請求項９に記載のインターネット安否遠隔監視方法を、送受信手段を有するサーバコンピュータに実行させるためのコンピュータプログラムであることを要旨とする。
【００３１】
この構成に係るインターネット安否監視プログラムでは、汎用のサーバコンピュータにより請求項１乃至請求項９に記載のインターネット安否遠隔監視方法を実行することができるという効果がある。
【００３２】
【発明の実施の形態】
以下、本発明のインターネット安否遠隔監視方法を具体化した一実施形態であるインターネット安否遠隔監視システム（以下適宜「本システム１」という。）を図１〜図７に従って説明する。なお、ここで「安否」とは、生死、健康に限らず、被監視者のあらゆる状態の変化を含み、防犯や災害等も含むものである。さらに買い物行動などを排除するものでもない。
【００３３】
（ハード構成）
図１は、インターネット安否遠隔監視システム１（以下適宜「本システム１」という。）の構成を示す概略図である。本システム１は、インターネット５にそれぞれ接続された監視端末２と、安否遠隔監視サーバ４と、監視者ＰＣ（Ｐｅｒｓｏｎａｌ  Ｃｏｍｐｕｔｅｒ）６、及び携帯電話網７を介してインターネット５に接続された携帯電話８を含む。ここでは、説明のため監視端末２，監視者ＰＣ６、携帯電話８は１つずつを図示したが、実際には多数の端末が管理される。
【００３４】
監視端末２は、周知のＣＰＵ２２、ＲＡＭ２３、ＲＯＭ２４を備えた、コンピュータ２１を有する。このコンピュータ２１には、インタフェース２６を介して通過検出手段を構成する通過センサ３０ａ、３０ｂ、３０ｃ、３０ｄ、３０ｅ（以下、これらをまとめて通過センサ３０という。）、各種センサ３１、浴室用動き検知センサ３２、非常ボタン３３、モード切替スイッチ３４、電源コントローラ３５が接続されている。また、コンピュータ２１は、インタフェース２５を介して、ルータ２８、モデム２７に接続され、インターネット５に接続されている。ルータ２８には、Ｗｅｂカメラとして構成されたカメラ２９が接続される。
【００３５】
このコンピュータ２１は、入出力インタフェースであるインタフェース２６に接続されたセンサ・機器の入出力を制御する。また、インタフェース２５を介して、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）、ＨＴＴＰ（ｈｙｐｅｒ  Ｔｅｘｔ  Ｔｒａｎｓｆｅｒ  Ｐｒｏｔｏｃｏｌ）のプロトコルでインターネット５により通信可能な送受信手段を有したサーバコンピュータとして機能している。インタフェース２５はルータ２８及びＡＤＳＬ（Ａｓｙｍｍｅｔｒｉｃ  Ｄｉｇｉｔａｌ  Ｓｕｂｓｃｒｉｂｅｒ  Ｌｉｎｅ）モデムであるモデム２７を介してインターネット５に接続される。そして、一般電話回線からＩＳＰ（Ｉｎｔｅｒｎｅｔ  Ｓｅｒｖｉｃｅ  Ｐｒｏｖｉｄｅｒ）を介してインターネット５のＷＷＷ（Ｗｏｒｌｄ  Ｗｉｄｅ  Ｗｅｂ）と接続される。所定のＩＰアドレスによりインターネット５のＷＷＷ上のサーバコンピュータである安否遠隔監視サーバ４と常時接続可能に構成されている。もちろん回線はインターネット５と接続できればよく、ＩＳＤＮ回線や専用回線などでもよい。
【００３６】
通過センサ３０ａ〜３０ｅは、焦電型赤外線パッシブセンサにより構成されている。焦電型赤外線センサは、本来的に赤外線の波長に対する依存性はないため、本実施形態ではセンサにフィルタを窓材として取り付けており、人の発する赤外線に特異に反応するようにして人以外の物による誤動作を防止する。
【００３７】
図２は、本システム１の管理区域である被監視者の自宅を示す平面図である。図２において本実施形態の通過センサ３０ａ〜３０ｅの配置を示す。通過センサ３０ａは、玄関ａに配置され、外部と内部の出入りを監視することができる。通過センサ３０ｂは、トイレｇ・浴室ｆと、玄関ａ・キッチンｅとを結ぶ廊下ｂに配置され、これらの往復、特にトイレｇへの進入を検出する。通過センサ３０ｃは、寝室ｃと廊下ｂとの間に配置され、寝室ｃと廊下ｂの出入りを検出する。通過センサ３０ｄは、居間ｄに配置され、居間ｄと寝室ｃの出入りを検出する。通過センサ３０ｅは、キッチンｅの廊下側出入り口に配置され、キッチンｅと、廊下ｂの出入りを検出する。ここでは、各通過センサ３０ａ〜３０ｅを壁面に配置しているが、天井に配置してもよい。
【００３８】
なお、この通過センサ３０ａ〜３０ｅは、電灯線から給電されるようにしても、乾電池・充電池により給電されるようにしてもよい。電灯線から給電されている場合は、電池切れがなく、電線を用いて、インタフェースに通過信号を送信することができる。一方、実施形態では、乾電池若しくは充電池により給電されているので配線が不要であり、配設位置の変更が容易である。通過センサ３０ａ〜３０ｅは検出した通過を信号としてインタフェースに送信する発信装置（図示を省略）を備え、インタフェース２６にはこの信号を受信する送受信装置（図示を省略）を備える。
【００３９】
インタフェース２６には、各種センサ３１が接続される。各種センサ３１としては、本実施形態では図２に示すようなベッドに設けられた圧力センサが例に挙げられる。この圧力センサは、ベッドパッドの下に挿入され、被監視者の体重によりベッドに居るか否かが判断できる。また、同様に布団・椅子・カーペットなどに圧力センサを配設して被監視者の存在を検出することもできる。これらの圧力センサは、通過センサ３０ａ〜３０ｅによる被監視者の位置の推定を支援して、被監視者の行動をプライバシーを保護しつつ正確に監視することができる。その他火災センサ等の温度センサ、煙検知器・ガス漏れ検知器のようなガスセンサ、玄関や窓の開閉センサのようなマグネットセンサ、窓ガラスなどの破壊を検出する振動センサ等が挙げられる。これらの各種センサ３１は、目的により適宜選択して用いることができ、これらのセンサは固有のＩＤ番号で識別され、有線或いは無線でインタフェース２６に信号が送信される。
【００４０】
さらに、本実施形態では、浴室ｆにＣＣＤカメラによるモーションセンサを備えた浴室用動き検知センサ３２を備える。これは、映像をメッシュに分割してメッシュごとの輝度の変化を検出するため、シャワーや水流などには反応せず人の動きだけに反応するように構成されている。そして、人が一定の時間動きがなかった場合、警告を発し、緊急通報をする。浴室ｆでは、転倒や急な体調不良から溺死などの事故が一番生じやすいことから、特に重点的に監視することにより、子供や高齢者の危険な事故を早期発見する。この浴室用動き検知センサ３２は、通過センサ３０ａ〜３０ｅによる被監視者の位置の推定を支援して、事故をより早くかつ誤検出なく監視でき、監視者による適切な処置を支援する。
【００４１】
図２に示すように、寝室ｃのベッドサイドには非常ボタン３３が配置される。被監視者の状態が急変するのは、浴室ｆ、トイレｇが多いが、当然に長時間過ごしたり、休息に使用されるベッドも重要な監視ポイントである。そこで、寝たまま押せる大型の非常ボタン３３を配置する。この非常ボタン３３は、一度ボタン操作をすれば、安否遠隔監視サーバ４に確実に信号が届くように連続した信号をインタフェース２６に発信しつづける。
【００４２】
図７に示すモード切替スイッチ３４は、本発明の状態情報を入力する所定の入力手段に相当しスライドスイッチ３４ａを備える。図２に示すように玄関ドアの近傍に配置され、被監視者が外出する場合には、図に示すように外出中の方にスライドさせる。このようにスライドさせることで、内部に設けられた発信器（不図示）がインタフェース２６に外出中である信号を送信する。この信号はコンピュータ２１により安否遠隔監視サーバ４に送信される。同様に帰宅した場合は、スライドスイッチ３４ａを在宅中の方にスライドさせる。そうすると内部に設けられた発信器がインタフェース２６に在宅中である信号を送信し、安否遠隔監視サーバ４に送信される。このように構成することで、被監視者は、目視で確認しながら現在の状態をモードとして入力することができる。さらに、在宅中や外出中の文字をモードに併せて発光させたり反転させるような構成でもよく、スライドスイッチに代えて、レバーや回転ノブ、シーソーボタンを用いてもよい。但し、スイッチの操作がいずれにあるかが目視できることが好ましい。音声による確認も好ましい。
【００４３】
撮影手段であるカメラ２９も、図２に示すようにベッドサイドに設けられている。このカメラ２９は、例えばＣＣＤカメラのようなデジタルカメラにより構成されてルータ２８に接続され、Ｗｅｂカメラとして、被監視者の映像をデジタル信号に変換してルータ２８からインターネット５に送信する。このカメラ２９の電源は電源コントローラ３５により給電されている。電源コントローラ３５はインタフェース２６に接続され安否遠隔監視サーバ４によりコントロールされた電源から給電される。通常は、カメラ２９には、給電されてなく停止している。安否遠隔監視サーバ４が異常と判定すると安否遠隔監視サーバ４からの信号により遠隔操作で電源コントローラ３５により電源がオンされて画像をルータ２８からインターネット５に配信する。このカメラ２９はＷｅｂカメラであるので、所定のＵＲＬによりインターネット５に接続した端末、たとえばブラウザ付きの携帯電話８によっても映像を受信することができる。なお、通常は電源がオフされているので誰からも映像を見ることができずプライバシーが確保できる。一方、安否遠隔監視サーバ４が異常を検出した場合、異常を報知する電子メールを受信した監視者は例えばブラウザ付き携帯電話８によりインターネット５を介してリアルタイムの生の映像により直ちに状況の確認ができ、適切な処置が可能になる。
【００４４】
さらに、このカメラ２９は、音声の送受信が可能であり、異常時には監視者がインターネット５を介しベッドにいる被監視者と直接会話をすることもできる。なお、このカメラ２９の電源は照明装置と連動しており、夜間の異常などでも照明がオンされるので明瞭な映像を送信できる。また、送信する場合は、照明がオンされるので、この照明が映像の送信を被監視者に報知する報知手段となっている。そのため被監視者は自分の映像が撮影されていることを認知でき、知らないうちに映像が送信されることが防止され、プライバシーが保護される。また、被監視者が映像を送信されたくない場合は、カメラ２９に設けられた図示しないキャンセルスイッチを操作することで送信を停止することができる。この場合は、被監視者に異常が生じてないということであるので映像の送信を停止し、その旨を「お客様により送信が停止されました」というように監視者に報知する。そのため、監視者は映像が受信できないのは、故障ではなく被監視者により停止されたことを認識できる。
【００４５】
安否遠隔監視サーバ４は、周知のＣＰＵ４２、ＲＡＭ４３、ＲＯＭ４４を備えたコンピュータ４１を有するＷＷＷ上のサーバコンピュータとして構成されている。この安否遠隔監視サーバ４が本システム１の全体を制御している。インタフェース４５は、図示しないルータとＡＤＳＬモデムを備え、公衆電話回線からＩＳＰを介して所定のＩＰアドレスによりインターネット５のＷＷＷ上の監視端末２とＡＤＳＬによる常時接続可能に構成されている。このため、コストの高い専用回線や、ダイヤルアップによる一般電話回線の利用による接続に比べ極めてコストを低く抑えた常時接続を可能としている。この送受信手段を有するサーバコンピュータである安否遠隔監視サーバ４が常時接続のインターネット５を介して所定の管理区域内である被監視者の自宅において被監視者の安否をリアルタイムで監視する。また、安否遠隔監視サーバ４は、ＳＭＴＰ、ＰＯＰ３のプロトコルにより電子メールを送受信できる。図１においては、説明のため１つのコンピュータで安否遠隔監視サーバ４が構成されているが、複数のコンピュータにより構成されてもよい。即ち、ＷＷＷサーバのほか、ＣＧＩサーバ、Ｍａｉｌサーバ、ＦｉｒｅＷａｌｌ、Ｐｒｏｘｙサーバ、ＤＮＳサーバ、ＤａｔａＢａｓｅサーバ等を含む複数のコンピュータ群で機能を分散して構成することができる。
【００４６】
安否遠隔監視サーバ４のコンピュータ４１は、インターネット５を介して監視端末２から送信された通過センサ３０ａ〜３０ｅ、ベッドの圧力センサなどの各種センサ３１、浴室用動き検知センサ３２、非常ボタン３３、モード切替スイッチ３４の信号をその都度リアルタイムで受信する。また、異常と判定された場合は電源コントローラ３５をオンする制御信号がコンピュータ４１により監視端末２に送信される。
【００４７】
通過履歴マスタ４６は、コンピュータ２１から送信された通過センサ３０の固有ＩＤ番号、通過時間が監視端末２ごとに時系列で日付毎にマスタファイルとして記憶される。通過時間は、コンピュータの精度に依存するリアルタイムか、１秒単位に整数化されて記録される。またリアルタイムではデータ転送やデータの蓄積量等に問題があるような場合には、５分おきにデータを受信するようにしてもよい。逆に、監視端末２から所定時間間隔、例えば５分おきにデータを送出する要にしてもよい。また、このマスタファイルに基づいて、図３に示すような１５分毎の時間帯に集計されたマトリクス画面６０の表示用データが予め作成されて記憶されてもよい。ここでは、１日分の通過履歴を監視者ＰＣ６や携帯電話８の画面に一覧表示するために１５分毎としているが、もちろん、時間帯の長さは１５分に限らず、表示対応や異常判定の基準に合わせて数秒から数時間まで任意の長さにできる。
【００４８】
判定テーブル４７は、通過履歴に基づいて、異常が発生しているか否かを判定する基準が記憶されている。本実施形態では、第１の基準として、一定時間、例えば６時間、いずれの通過センサ３０も通過を検出しない場合は異常と判定する基準が記憶される。
【００４９】
また、第２の基準として、特定の時間、例えば、睡眠していると思われる２２時から翌６時までは、いずれの通過センサ３０も通過を検出しなかった場合でも異常とはしない、かつ、上記第１の基準の経過時間に加算しないようにする基準が記憶される。同様に、被監視者が勤務をしている場合は、８時から１８時までは、いずれの通過センサ３０も通過を検出しなかった場合でも異常とはしない、としてもよい。これらは、デフォルト設定されている条件を、被監視者の生活パターンに合わせてカスタマイズすることで、より異常を正確に検出するようにする。
【００５０】
第３の基準としては、特定の通過センサ、例えばトイレｇの前の廊下ｂの通過センサ３０ｂが、所定の頻度、例えば、１時間以内の間隔で３回以上通過を連続検出した場合は、被監視者の体調が不調であると判定する基準である。これは、被監視者の生活習慣に合わせて、平常時の排尿頻度等を考慮して設定することが望ましい。さらに、過去の被監視者の通過履歴から解析できる生活パターンからＡＩ（人工知能）により、異常と判定する閾値などを修正することも望ましい。
【００５１】
第４の基準としては、モード切替スイッチ３４から入力された被監視者の状態情報に応じて、判定の基準を変えるものである。例えば、状態情報が、「在宅中（在宅状態）」と「外出中（不在状態）」の２つの状態（モード）で定義付けられている場合に、外出中の場合には、「警戒モード」としてすべての通過センサ３０ａ〜３０ｅのいずれが通過を検出しても、異常と判定する基準である。これは、外出中の場合は、被監視者が管理区域内にいないという前提で、このときに通過を検出した場合は不法な侵入者と判断し、異常と判定する。なお、モード切替スイッチ３４を操作してから一定時間、例えば３分間は、被監視者が検出されたものとみなし、警戒モードでも異常と判定しないようにする。また、所定の通過センサを除外する場合、例えば、ペットを居間ｄに留置している場合は、通過センサ３０ｄのみは通過を検出しても異常とは判定しないようにする基準としてもよい。あるいは、警戒モードであっても、最初に玄関ａの通過センサ３０ａが通過を検出して、所定時間内、例えば３分以内にモード切替スイッチ３４を外出中から在宅中にした場合、被監視者の正常な帰宅と判断して、異常とは判定しない。それ以外の通過センサが通過を検出した場合は、窓等からの不法侵入と判断して直ちに異常と判定するという基準としてもよい。
【００５２】
状態情報は、本実施形態のような「在宅中」と「外出中」に限らず、例えば、「就寝中」と「起床中」とすることもできる。この場合は、就寝中では、長時間通過を検出しない場合でも異常とは判断しない基準としたり、就寝中の玄関ａの通過センサ３０ａの通過は直ちに異常と判定する基準としてもよい。状態情報は、これらに限定されず、被監視者の生活パターンに合わせ様々なモードが考えられ、また、状態情報は２者択一に限らず、３モード以上の複数のモードから選択するようにしてもよい。例えば、「旅行中」というモードで、長期間通過を検出しない場合でも異常と判定しない基準としてもよく、時間により自動的にモードを切り換えるようにしてもよい。また、複数組みのモードを複合的に組合せたものでもよい。
【００５３】
次に、異常判定の一環として複数の通過センサ３０により、被監視者の所在位置をコンピュータ４１が推定する方法について述べる。本実施形態では、通過センサが、通過センサ３０ａから３０ｅまで５つあるため、１つの通過センサでは判らない被監視者の位置が推定できる。具体的には、例えば図２において、被監視者が寝室ｃから通過センサ３０ｃを通過して廊下ｂに移動すると、通過センサ３０ｃは通過を検出する。ところが、これだけの情報では、被監視者が、通過センサ３０ｃの寝室ｃ側に居るか、廊下ｂ側に居るか判断がつかない。そこで、次に、連続して廊下ｂのトイレｇ前の通過センサ３０ｂが通過を検出すれば、少なくとも被監視者は寝室ｃには居ず、トイレｇの中か玄関ホールにいることが推定できる。この後、玄関ａの通過センサ３０ａやキッチン入り口の通過センサ３０ｅが通過を検出せず、一定時間以上経過すれば、その前に推定された位置から玄関ホールは単なる通路であるから被監視者はトイレｇにいる可能性が高いと判る。このように管理区域内を複数の通過センサ３０の位置応じて複数のエリアに分割し、通過履歴に基づいて被監視者の動線を解析して、現在いるエリアを推定する。なお、被監視者は前述のような方法で現在の位置が推定されるが、通過センサを２つ用いて、通過方向が判るような構成にすればさらに現在位置の推定の精度を上げることができる。なお、この位置情報は後述するような管理区域の図と共に表示される。
【００５４】
また、本実施形態では、浴室ｆには、浴室用動き検知センサ３２があるため、このセンサに検知されれば、被監視者は浴室ｆにいることが確実に判る。同様に、ベッドに配置された圧力センサのような各種センサ３１により、このセンサが検知すればベッドに被監視者がいることが確実に判る。このような確実な情報により、通過センサ３０ａ〜３０ｅで推定した被監視者の所在を修正することで、被監視者の位置の推定がより確実なものとできる。もちろん、図２に示す通過センサ３０ａ〜３０ｅの数、配置等は一例であり、その他センサなども浴室用動き検知センサ３２やその他センサの数、種類、配置、機能は様々なものを用いることができる。従って、管理区域の態様に従い種々の態様が考えられることは言うまでもない。これらのセンサ等により被監視者の現在の位置を推定するアルゴリズムもこの判定テーブル４７に記憶されている。判定テーブル４７には、以上のような異常判定基準が記憶される。
【００５５】
顧客マスタ４８には、被監視者、監視者に関する種々のデータが記憶される。ここには、顧客別の安否を遠隔監視すべき管理区域についての情報と、過去の異常の履歴を記憶する異常履歴と、異常を検出した場合の監視者の連絡先の電子メールアドレス、電話番号、住所、担当の警備会社、消防・警察・救急などの緊急事態の通報先などの情報が記憶されている。
【００５６】
本実施形態の携帯電話８は、周知のセルラー方式の移動体通信機で、携帯電話網７を介してインターネット５に接続され、インターネットＷＷＷブラウザを備えたクライアントコンピュータの機能を併せ持つ。また、メールサーバの機能を備えた安否遠隔監視サーバ４から発信された電子メールの受信が可能に構成されている。特に、本実施形態では、携帯電話に合わせた所定形式のＨＴＭＬ、ＪＡＶＡ（登録商標）、ＦＬＡＳＨ等で記述された高精細の動画を含む表示画面を表示することができ、監視者ＰＣ６の表示装置と同等の表示能力があるものを例に説明する。そして、所定のＵＲＬ（Ｕｎｉｆｏｒｍ  Ｒｅｓｏｕｒｃｅ  Ｌｏｃａｔｏｒ）にアクセスして、目的のＷＷＷサーバから目的のテキスト、静止画、動画、音声などをハイパーテキストとして得ることができる。本実施形態では、具体的には、安否遠隔監視サーバ４から、所定の通過履歴を図３〜図６、図８〜図１１に示すような各種の画像として得ることができる。また、直接監視端末２にアクセスすることで、Ｗｅｂカメラとして機能するカメラ２９からの動画を音声と共にリアルタイムで携帯電話８で見ることができる。また音声のやりとりも被監視者とおこなうことができる。
【００５７】
なお、本実施形態では代表的な端末として監視者ＰＣ６や携帯電話８を例に説明するが、マイクロセルラー方式の携帯端末（例えば、ＷＷＷブラウザを備えたＰＨＳ（パーソナルハンディーホン・登録商標））等なども使用できる。また、端末としては電子メールの受信とインターネット５のウエブページを閲覧できるブラウザを備えたものであれば、ＰＤＡ（Ｐａｒｓｏｎａｌ  Ｄｉｇｉｔａｌ  Ａｓｓｉｓｔａｎｔ）などでもより。さらに、カーナビゲーションシステム、一般回線における家庭用有線電話機、ＳＴＢ（Ｓｅｔ  Ｔｏｐ  Ｂｏｘ）、家庭用ゲーム機等その種類は問わないものである。さらに、報知を電子メールで行わず、ポケットベル（登録商標）のようなページャーにより、音声や文字で異常を報知するためには使用することができる。あるいは、報知だけなら合成音声や録音された音声による電話を自動的に架電してもよい。
【００５８】
以下、このように構成された本システム１の被監視者に対する監視の手順について説明する。コンピュータ４１は、被監視者の自宅の検出場所である玄関ａ、廊下ｂ、寝室ｃ、居間ｄ、キッチンｅに配置された通過センサ３０ａ〜３０ｅを備えた監視端末２により送信された被監視者の通過を検出した信号をインターネット５、インタフェース４５を介して自動入力する。この手順が本発明の通過検出信号入力のステップに相当する。
【００５９】
次に、コンピュータ４１は、通過センサ３０ａ〜３０ｅのうちのいずれの通過センサから被監視者の通過を検出したかを入力した信号からＩＤ番号を判断する。そして時刻情報とともに通過履歴として通過した事実を通過履歴記憶手段であるハードディスクにより構成された通過履歴マスタ４６に記憶する。この手順が、本発明の通過履歴記憶のステップに相当する。
【００６０】
そして、コンピュータ４１は、この通過履歴から記憶手段である判定テーブル４７に記憶された所定の基準に基づいて異常であるか否かを判定する。この手順が、本発明の異常判定のステップに相当する。
【００６１】
コンピュータ４１は、異常と判定された場合には監視者に所定の報知手段で報知する。この手順が本発明の報知のステップに相当する。
また、コンピュータ４１は、被監視者の状態を判断するために、所定の状態入力手段であるモード切替スイッチ３４から入力され、監視端末２から送信された在宅中（在宅状態）か外出中（不在状態）かの情報を状態情報としてインターネット５を介して自動入力する。この手順は、本発明の状態情報入力のステップに相当する。そして、この状態情報に基づき、異常か否かの判断の基準を異なるものにする。
【００６２】
コンピュータ４１は、通過履歴マスタ４６に記憶された通過履歴に基づいて、例えば、複数の時間帯毎、例えば１５分毎の時間帯における通過センサ３０ａ〜３０ｅの通過の履歴をマトリクス表示をするためのマトリクスデータを監視者の表示手段に送信する。この手順が本発明のマトリクスデータ送信のステップに相当する。ここで、図３は、監視者ＰＣ６にマトリクスデータにより表示される画面の一例であるマトリクス画面６０を示す図である。マトリクス画面６０は、上端部にデータが入力された年月日６０ａが、例えば「２００２，１０，１５」のように表示される。その下には、横軸に時間６０ｂが、２４時間表記で１時間毎に０〜２３まで表示される。さらにそれぞれの時間の下には、１５分毎に区切られた時間の境界線が縦の罫線６０ｃが表示される。また、左端に上から「玄関」、「廊下」、「寝室」、「居間」、「キッチン」の検出場所６０ｄの表示と、この表示の境界線毎に水平な罫線６０ｅが時間軸と交差するように表示される。このように縦の罫線６０ｃと水平な罫線６０ｅに囲まれた部分をここではセル６０ｆという。また、検出場所６０ｄの各検出場所の表示に右側に、各検出場所での通過を検出した回数が検出回数６０ｈとして表示される。この検出回数６０ｈの数字を見れば、マトリクス画面６０では判別できない頻繁な動きがあった場合でも判る。なお、この検出回数６０ｈは、特に店舗における入店客動線調査等に本発明を適用したような場合に有用な情報を監視者に与える。
【００６３】
実施形態では、セル６０ｆ毎に色彩を変えた表示（反転表示）を行うことができる。例えば、図３においては、２００２年１０月１５日の午前０時ちょうどから２４時００分までの通過履歴が表示されている。まず、０時００分から１時００分までは、いずれのセル６０ｆも通常表示（図３において白の表示）であるため、いずれの通過センサ３０でも１度も通過が検出されていないことが判る。また、１時００分から０時１５分の間に寝室ｃにあるセルが反転していることから、通過センサ３０ｃの前を被監視者が少なくとも１回以上通過していることが判る。ここでは、被監視者の位置は、通過センサ３０ｃより寝室ｃ側か廊下ｂ側かは推定できない。続いて、１時１５分から１時３０分までの間に廊下ｂにあるセルが反転していることから、通過センサ３０ｂの前を被監視者が少なくとも１回以上通過していることが判る。このことからは、同じ時間に他の通過センサ３０ｃ、３０ａ、３０ｅでは通過していないことから、この範囲の場所に被監視者がいることが推定できる（図２参照）。そうすると、被監視者はトイレｇに入ったことが推定できる。このように、時系列で通過センサ３０ａ〜３０ｅのいずれの前を通過したかを判断することで被監視者のその時間帯の位置が推定できるようになる。
【００６４】
また、同様に１時３０分から１時４５分の間に通過センサ３０ｃを通過したので、被監視者は寝室ｃに戻ったものと推定できる。１時４５分から７時００分までは、いずれの通過センサ３０も通過を検出していない。そのため、被監視者は寝室に長時間滞在したことになるが、判定テーブル４７に記憶された基準により時間帯と場所に基づいて判定すれば、睡眠しているものと推定できる。したがって、被監視者には異常がないものと推定でき、コンピュータ４１は、異常との判定をしない。
【００６５】
７時００分から９時１５分までは、廊下ｂ、寝室ｃ、居間ｄ、キッチンｅに配置された通過センサ３０ｂ、３０ｃ、３０ｄ、３０ｅが通過を検出している。この時間と場所から、被監視者はこれらの間を移動しており異常がないものと判断される。そして、９時１５分から９時３０分の間に玄関を通過し、このとき図７に示すモード切替スイッチ３４のスライドスイッチ３４ａを在宅中の位置から外出中の位置に変更し、モード（状態情報）を在宅状態から不在状態にした。この不在状態は、警戒モードであり、警戒モード中ではそれまでとは異常の判定の基準を変更する。ここでは警戒モードは、９時３０分から開始され１０時４５分まで続き、マトリクス画面６０の背景色が異なる配色に変更され、一見して警戒モードとなったことが判るようになっている。
【００６６】
なお、マトリクス画面６０では、セルの時間帯が１５分単位で表示されるが、安否遠隔監視サーバ４の内部的には、通過履歴のデータはリアルタイムで記憶され管理されている。例えば、被監視者がモード切替スイッチ３４を外出中にすると、所定時間、例えば３分経過すると警戒モードがオンになる。但し、厳密に表示すると却って表示が見にくくなる場合があるため、マトリクス画面６０では、一定の簡略表示を行うようにしてもよい。簡略化する方法としては、例えば、ここでは状態情報として不在情報が入力されたときに、その情報が入力された時間帯は警戒モードとはせず、次の時間帯から表示する。また通過を表示する場合は、その前の時間帯と同じ通過センサ３０とその前の時間帯と異なる通過センサ３０のいずれもが検出された時には新たな位置のみ表示して、前の時間帯で検出位置は表示しないようにしてもよい。或いはその時間帯で最初に検出した通過のみを表示するようにしてもよい。
【００６７】
このように異常の判定に用いるデータと、表示するデータは全く同一とする必要はなく、特に携帯電話８の小型画面で見やすく情報を加工する。また、例えば、本実施形態では、図示を省略したが監視者ＰＣ６でマトリクス画面６０の時間６０ｂの「８」を選択してクリックしたり、携帯電話８で同様に選択して所定のボタンを操作することで、８時００分から９時００分までの通過履歴が詳細に表示される。この表示は、完全にすべてのデータを表示してもよいが、本実施形態では、図示を省略したが別画面として表示される１分毎のセルのマトリクス画面を用いた簡略表示を行う。
【００６８】
ここでは、在宅中の普通モードと、外出中の警戒モードを例に説明したが、モード切替スイッチ３４を寝室ｃのベッドサイドに配置して、就寝モード（就寝状態）と起床モード（起床状態）で異常の判定基準を切り換えるとともに、マトリクス画面の表示態様を変更するようにしてもよい。
【００６９】
次に、異常と判定される場合の具体例を説明する。図４は、長時間通過の検出がないことから異常と判定される場合のマトリクス画面６１を示す。ここでは、１０時４５分〜１１時００分に帰宅して、モード切替スイッチ３４を「在宅中」に変更したものと思われる。その後１１時００分〜１１時１５分に廊下の通過センサ３０ｂ、寝室の通過センサ３０ｃを通過して、１１時１５分から１１時３０分の間に居間ｄに移動したものと推定される。そして、１１時３０分〜１１時４５分に居間ｄの通過センサ３０ｄを通過している。被監視者は、寝室ｃの通過センサ３０ｃとキッチンｅの通過センサ３０ｅのいずれかを通過しなければ外出できないため、このセンサ間のいずれかの位置にいるものと推定される。さらに、ベッドに配置された各種センサ３１である圧力センサにより被監視者が認識できなければ、ベッドにはいないことになる。また、食事の準備をすればキッチンｅの通過センサ３０ｅが通過を検出するとすれば、被監視者は、昼の時間に、食事もせず、睡眠もせず、排尿もせず、外出もしていないことになる。この時間が所定時間、例えば６時間続けば何らかの問題が生じたと推測できる。そうすると最後に通過を検出した１１時４５分から６時間経過した１７時４５分までに通過センサ３０の信号を検知できなかった場合は異常と判断する。
【００７０】
次は、図５は、体調不良と判定される場合に注意を報知するマトリクス画面６２を示す。例えば、食事をしない、昼間に寝室に長時間滞在する、トイレｇに頻繁に行くというような場合は体調不良の蓋然性が高い。このような場合に、緊急の異常ではないが、監視者に注意を促すため「注意」を報知する。具体的には、図５に示すように１２時００分から１２時１５分、１２時３０分〜１２時４５分、１３時４５分〜１４時００分…、のようにトイレｇでの通過が頻繁に検出されている。また、朝食を取るべき時間にキッチンｅでの通過が検出されていない。さらに、朝からずっと夜まで居間に移動せず、寝室に滞在している。これらのことが通過履歴から解析できる。また、注意を促された監視者も監視者ＰＣ６、携帯電話８から、図５に示すようなマトリクス画面６２により自らが確認できる。
【００７１】
このとき、安否遠隔監視サーバ４では、通過履歴から、所定の時間帯にキッチンにいない、昼間に寝室に長時間滞在する、トイレｇに頻繁に行く等のいずれか１つが分析ができた時点で監視者ＰＣ６、携帯電話８に注意を促す電子メールを送信して報知をする。なお、種々のケースにポイントを定め、これらのポイントが所定数蓄積されたときに初めて異常と判定して注意を促すようにしてもよい。
【００７２】
次は、図６は、警戒モードにおける異常と判定されるマトリクス画面６３を示す。１３時００分〜１３時１５分に被監視者は、玄関で通過を検出され、図７に示すモード切替スイッチ３４のスライドスイッチ３４ａを外出中にして外出している。そのため、１３時１５分〜１９時００分まで背景色が変わり、警戒モード６３ａになっていることが判る。このとき１６時１５分〜１６時３０分に玄関から侵入があったことが検出されている（セル６３ｂ）。この場合、侵入者はモード切替スイッチ３４を切り換えていないため、安否遠隔監視サーバ４は異常を検出し、監視者ＰＣ６及び携帯電話８に電子メールで異常を報知している。なお、１９時００分〜１９時１５分に帰宅した被監視者は玄関から進入した後所定時間内にモード切替スイッチ３４を在宅中に切り換えたため、警戒モードが解かれ、異常は検知されない。
【００７３】
ここで、上述のマトリクス画面６０〜６３においては、横に時間軸、縦に位置を表示して時系列の被監視者の場所の移動を監視者が一覧で掌握できるようにしていた。しかしながら、このマトリクス画面６０〜６３では時間が１５分単位で表示されるため、同じ時間帯の全てのセルの反転しまうと、被監視者がどこにいるか判らなくなってしまう。これは、短時間、例えば１分単位で表示したマトリクス画面（図示せず）としても同様の問題を生じる。
【００７４】
そこで、本実施形態では、安否遠隔監視サーバ４は、マトリクスデータ送信のステップにおいて監視者ＰＣ６や携帯電話８の表示手段に表示されたマトリクス画面６０において選択された時間帯について受信する。そうすると、監視者ＰＣ６や携帯電話８の表示手段に通過センサ３０ａ〜３０ｅ毎の表示と、表示された通過センサ３０ａ〜３０ｅの通過を示す移動の表示をするデータを監視者ＰＣ６や携帯電話８の表示手段に送信する。併せて、管理区域内である自宅内のエリアと、その時刻に推定される被監視者の所在するエリアの表示をさらに行うデータを送信する。この手順が本発明の被監視者所在表示データ送信のステップに相当する。
【００７５】
具体的には、マトリクス画面６０が表示された監視者ＰＣ６や携帯電話８の表示画面において、マウスポインタを任意のセル、例えば８時１５分〜８時３０分のキッチンｅの通過センサ３０ｅを示すセル６０ｇに合わせ、ダブルクリックや選択操作をする。そうすると、別画面で被監視者所在表示画面６４が表示される。ここで図８は被監視者所在表示画面６４を示す図である。被監視者所在表示画面６４は、上端に、「２００２，１０，１５」と選択した年月日６４ｉが表示される。その下段には、選択した時刻６４ｊが「８：１５〜８：３０」のように表示される。さらにその下段にコンピュータ４１が推定した被監視者のその時間帯の最終的所在地６４ｋが「居間」のように表示される。そして、その下方には、管理区域である被監視者の自宅の間取りに応じた「玄関」６４ａ、「廊下」６４ｂ、「寝室」６４ｃ、「居間」６４ｄ、「キッチン」６４ｅ、「浴室」６４ｆ、「トイレ」６４ｇが円で表わされる。これに加えて「外出中」６４ｈが長方形で表示される。また、これらのエリアは、通過センサ３０ａ〜３０ｅを含む破線で示す通路で連絡するように表示される。
【００７６】
最初破線で表示された通路は、画面が表示されると安否遠隔監視サーバ４の通過履歴マスタ４６に記憶されている通過履歴に基づいて、時間の順に通過した通過センサ３０ａ〜３０ｅに応じた通路が順次実線で示される。さらに通過した方向が判明している場合は、矢印で通過方向が示される。例えば、図８では、まず通過センサ３０ｅにあたる通路が実線表示され、キッチンｅから廊下ｂに移動したことがわかる。次に図示しないセンサによりトイレｇに入り、再びトイレｇからでて、さらにトイレｇから廊下ｂを通って寝室ｃに入っていることが通過センサ３０ｃの通路の表示で判る。なお、浴室ｆには通過センサはないが、浴室用動き検知センサ３２により浴室ｆに入ってないことが判る。さらに被監視者は寝室ｃと居間ｄとの間の通過センサ３０ｄを往復しているが、「居間」６４ｄの円が色彩が異なって表示されて、或いは点滅表示されて、最終的に８時１５分には居間ｄにいたことが判る。
【００７７】
表示は、ここでは実線が順に表示されるが、表示された実線はそのまま残して表示の履歴を残していってもよいし、順次書き換えて消していってもよい。また、実線表示と併せて、あるいは実線表示とは別に被監視者の移動を図に示すような人間を示すアイコン６４ｌで移動表示すれば、監視者は一見して内容が理解できる。また、異常と判定された場合は、このアイコン６４ｌを変色させ、形状を変え、若しくは表示を付加して異常と判定されたことを一目でわかるようにしてもよい。
【００７８】
このように、被監視者のいる所在地が表示される。したがって、マトリクス画面６０〜６３等で見た場合同一の時間帯で複数の通過センサが通過を検出して判断がつかない場合でも被監視者の所在が判る。特に、その後通過センサ３０ａ〜３０ｅや、他のセンサによっても被監視者の移動が検出されなくなった場合には、被監視者がどのエリアで異常になったのかが容易に判る。
【００７９】
次に、安否遠隔監視サーバ４が異常と判定した場合に監視者に所定の報知手段で報知する方法を説明する。上述のような種々の基準で安否遠隔監視サーバ４のコンピュータ４１が異常と判断した場合は、まず、監視者ＰＣ６と携帯電話８に対して異常を報知する電子メールを送信する。この電子メールを送信する手段が本発明の所定の報知手段の一例に相当する。この電子メールには、被監視者の異常の状態が判るような内容が生成されて表示される。また、各種センサにより内容がより詳しく推定される場合、例えば火災の場合などはその内容が記載される。電子メールの送信先は、担当の警備会社、消防・警察・救急などの緊急事態の通報先として顧客マスタ４８に記憶されているところにも内容に応じて通報される。もちろんこれらの通報は電子メールに限らず、異なる警報手段であってもよい。
【００８０】
また、監視者ＰＣ６、携帯電話８に送信される電子メールにはＷｅｂカメラであるカメラ２９のＵＲＬが記載される。異常と判定したコンピュータ４１は、監視端末２に信号を送信し、電源コントローラ３５のカメラ２９の電源をオンするとともに、動的ＩＰの場合は、このカメラ２９のＵＲＬ若しくはＩＰアドレスを取得する。そしてこれを監視者ＰＣ６、携帯電話８に送信する。
【００８１】
コンピュータ４１により異常と判定された場合に、監視端末２の管理区域内の映像を配信可能なカメラ２９を電源コントローラ３５をオンしてカメラ２９をＷｅｂカメラとして稼働させてインターネット５から所定のＵＲＬでアクセス可能とする。この手順が、本発明の異常時映像配信のステップに相当する。なお、この場合、映像を監視者からの映像配信の要求があったことを条件に表示手段に表示させる。この要求は、確認の表示画面や、パスワードによる認証などにより行われる。
【００８２】
また、監視者ＰＣ６、携帯電話８への報知において、アクセスに必要なＵＲＬ若しくはＩＰアドレスを電子メールで送信する。この手順が、本発明の異常映像アクセスポイント通知のステップに相当する。
【００８３】
報知のステップにより安否遠隔監視サーバ４から監視者ＰＣ６、携帯電話８に報知するときに、被監視者に対してもインターネットを介して監視端末２により音声、光等の報知手段で報知する。この手順は、本発明の被監視者異常報知のステップに相当するものである。
【００８４】
また、監視者ＰＣ６や携帯電話８に表示するために異常時の映像をカメラ２９により撮影するときは、被監視者に対してインターネットを介して監視端末２により所定の報知手段で報知する。本実施形態では、電源コントローラ３５により撮影と同時に照明装置を点灯させる。この手順が撮影報知のステップに相当する。
【００８５】
また、被監視者を撮影する場合は、被監視者からの音声をカメラ２９のマイク（図示を省略）で採取して、監視者ＰＣ６や携帯電話８に聴取可能に送信する。この手順が音声採取のステップに相当する。また、監視者ＰＣ６や携帯電話８から送信された音声を被監視者に聴取可能にスピーカで発声させる。この手順が音声発声のステップに相当する。
【００８６】
ここで、図９は、監視者若しくは被監視者が、管理区域である自宅に通過センサを自ら配置する場合に監視者ＰＣ６等に表示される通過センサ配置入力画面６５を示す図である。上述のように本実施形態の通過センサ３０は、電池により給電され無線で信号をそのＩＤとともに送出する。したがって、その配置の自由度は高く、監視者若しくは被監視者自身でも容易に設置できる。しかしながら、その通過履歴から種々の判定を行うには、その位置が安否遠隔監視サーバ４により認識されていなければならない。そこで、監視者は管理区域である自宅の間取りを書面で送付、または画像データをインターネット５で安否遠隔監視サーバ４に送る。安否遠隔監視サーバ４では、これを図示しないスキャナで入力またはインターネット５経由で入力する。このデータに基づいて、安否遠隔監視サーバ４は通過センサ配置入力画面６５を作成する。いずれかの端末、ここでは監視者ＰＣ６からインターネット５を介して安否遠隔監視サーバ４にアクセスして通過センサ配置入力画面６５を表示させる。通過センサ配置入力画面６５には、入力された間取り６５ａと、通過センサを示すアイコン６５ｂが所定数表示されている。通過センサを示すアイコン６５ｂは、例えば、１から１６までＩＤ番号がふられており、監視者は、ここに表示された間取り６５ａ上で、実際に通過センサを配置した場所に、そのＩＤで示されたアイコン６５ｂにマウスポインタ６５ｃを合わせ、ドラッグアンドドロップで配置していく。例えば、図９では、アイコン６５ｂの「１」のＩＤのものを玄関ａに配置している。また、「２」のＩＤのものをドラッグしている。全ての通過センサの配置が完了したら、「送信」ボタン６５ｄをクリックして安否遠隔監視サーバ４に送信する。このような手順で、通過センサが配置された位置が間取りの情報と関係付けられて安否遠隔監視サーバ４の顧客マスタ４８に記憶される。このような簡易な方法で、通過センサの配置が安否遠隔監視サーバ４に記憶され、安否遠隔監視サーバ４のコンピュータ４１により異常の判定や画面表示が実行される。
【００８７】
上記実施形態のインターネット安否遠隔監視システム１によれば、以下のような特徴を得ることができる。
・  上記実施形態では、複数の通過センサ３０ａ〜３０ｅにより、被監視者の管理区域内での移動を自動的に収集して安否遠隔監視サーバ４に通過履歴として送信し、安否遠隔監視サーバ４では通過履歴マスタ４６のデータを判定テーブル４７に記憶された基準で自動判定する。そして、異常の兆候が発見できた場合は、直ちに監視者の端末に報知する。このため、常に、被監視者の行動を監視していなくても異常があった場合は直ちに報知され、速やかに援護のための処置ができるという効果がある。
【００８８】
・  また、被監視者に対する監視は、通過センサ３０により行われるため、被監視者はプライバシーが侵されることなく、正確にもれなく異常が検出される。また、判定テーブル４７には、種々の判定基準が記憶されているため、日常と異なる細かな点まで判断でき、異常には至らないが注意が必要な段階でも監視者に注意を報知することができるという効果がある。
【００８９】
・  判定テーブル４７に記憶された基準は、被監視者の外出・在宅、就寝・起床など様々な状態に合わせて適切な判断を行う。このため、被監視者の異常を誤りなく、且つもれなく検出することができるという効果がある。
【００９０】
・  また、異常があった場合は、電子メールで監視者に報知するとともに、被監視者の映像を見られるＵＲＬを通知するため、監視者は直ちに被監視者の生映像をリアルタイムで見ることができるという効果がある。そのため、迅速且つ適切な援護処置を採ることができるという効果がある。
【００９１】
・  特に監視者は、監視者ＰＣ６や携帯電話８で常時被監視者の行動をマトリクス画面６０で確認できるため、被監視者の状態をいつでも正確に確認することができる。いっぽう、被監視者はプライバシーが損なわれないでいて、常時見守られている安心感を持つことができるという効果がある。
【００９２】
・  また、被監視者自身も、外出時は自宅が警戒モードとなりに携帯電話８で自宅の状態などを簡単に確認できるという効果がある。
なお、上記実施形態は以下のように変更してもよい。
【００９３】
○  上記実施形態では、被監視者の自宅を管理区域として、その安否を確認するために本システムを活用しているが、本発明の適用範囲はこれに限定されるものではなく、例えば店舗・工場・倉庫などにおいても活用できるものである。たとえば、店舗においては、入店客の動線を通過センサにより検出し、客の動線の分析に活用することができる。この場合、マトリクス画面に各セル毎の通過回数の累計数を表示すれば、売り場のどのコーナーに客が溜まるか、どの通路を客が通過するかが時系列で一覧できる。このような分野にも好適に適用できるものである。これらを蓄積することで反応記録を長期にわたりグラフ化でき、どの時間帯に、どの場所が人気があるのかの把握も可能になる。そのため、商品を効率よく回転させるためのマーケティング調査にも利用できる。この場合は、報知手段を用い異常の判定を長時間利用のないコーナーなどの検出や、侵入禁止のレジやバックヤードへの侵入を報知させることもできる。また、営業時間外の店舗や、工場や倉庫などの防犯目的にも活用できる。この場合は、状態情報を警戒モードとして盗難などがあった場合は、Ｗｅｂカメラで現場を確認することもできる。
【００９４】
○  また、本実施形態では、焦電型赤外線パッシブセンサ（熱型検出素子）を通過センサとして使用しているが、通過センサとして使用できるものであれば、イメージ、超音波、光、機械式スイッチを用いたセンサとしてもよい。さらにＣＣＤカメラなどを用いて、通常は映像を使用しないでモーションセンサとして使用する。このようにすれば、通常は被監視者のプライバシーを侵すこともない。また、異常が検出された場合は、Ｗｅｂカメラとして、カメラ本来の使用により現場の生映像を送信することができる。
【００９５】
○  カメラ２９は、Ｗｅｂカメラとしてルータ２８に接続されて構成されているが、コンピュータ２１に接続され、制御され送受信されるような構成でもよい。
【００９６】
○  また、本実施形態では、ＡＤＳＬによりインターネット５に接続しているが、他のｘＤＳＬ、或いはＦＴＴＨなどの光ネットワークなどを用いてもよい。また、ＩＰアドレスは動的・静的を問わない。
【００９７】
○  実施形態では、被監視者所在表示データ送信のステップとして、自宅を管理区域とした例を説明したが、介護以外にも防犯目的で使用することもできる。ここで、図１０は、例えば大型の倉庫など広い面積の空間で夜間の防犯などにインターネット安否遠隔監視システム１を適用した場合の表示画面６６である。ここでは、表示画面６６のように通過センサＳ（Ｓ１〜Ｓ１６）までを倉庫の天井部分に設置する。広大な倉庫であると全ての部分を焦電型赤外線センサでカバーするとコストが嵩むため、図１０に示すように間隔を開けて通過センサＳ１〜１６を縦３列横３列のマトリクス状に配置する。通過センサＳは、図９において上下左右方向は隣接する通過センサ検出エリアが重なっているが、斜め方向には重なっていない。ここで、例えば侵入者が入り口から進入した場合、通過センサＳ１が反応する。この段階で異常と判定して監視者ＰＣ６または携帯電話８に報知する。次に侵入者が通過センサＳ６で通過が検出され、さらに通過センサＳ１０、Ｓ１１と検出され、最後に通過センサＳ８で検出されたものとする。この場合、侵入者は通過センサＳ３とＳ７、通過センサＳ７とＳ１１、通過センサＳ１１とＳ１２の間は通過すれば検出エリアが重なっているため、いずれかが通過を検出する。したがって、最後に通過センサＳ８が通過を検出したとすれば、侵入者は通過センサＳ３，Ｓ７，Ｓ１１，Ｓ１２に囲まれた範囲、即ち斜線で示した位置に潜んでいるものと推定できる。そこで、斜線部の場所を警戒区域として画面表示し重点的に侵入者の探索を行う。このようにすることで広い範囲を監視することができる。
【００９８】
○  また、図１１は、通過センサＴ１〜Ｔ１６を配置位置に応じて表示する表示画面６７を示す図である。図９に示した方法と同様に通過センサを配置するが、間取り図はなくその位置のみを表示している。この場合も通過を検出した通過センサＴ１，Ｔ６，Ｔ１０，Ｔ１１，Ｔ８を表示し、最後に通過が検出された通過センサＴ８の周囲に同心円上の表示を示し、この位置に被監視者が居るものと推定する。図１０、図１１に示すいずれの場合も、図９と同様監視者の動的な表示をしてもよい。
【００９９】
○  なお、この表示画面１６では、各通過センサＴ１〜Ｔ１６の位置が示され、その位置で通過を検出した検出回数を円柱の高さで示した３Ｄグラフの表示をすることができる。検出回数は単位当たり、例えば１５分単位で集計して表示してもよいし、検出開始からの累積を示してもよい。特に、単位時間当たりの検出回数を時系列で順番に表示すればその管理区域での通過回数がダイナミックにわかる。本発明のこの機能を利用することで、例えば、入店客の動線を調査して、時間毎の動線管理を行ったりするのにも極めて有効で、マーケティングツールとして従来にないアプローチで管理することができる。
【０１００】
次に上記実施形態及び別例から把握できる技術的思想について、それらの効果とともに以下に追記する。
［付記１］請求項１に記載のインターネット安否遠隔監視方法において、前記異常判定のステップは、所定時間検出がないときに、所定条件で異常と判定することを特徴とするインターネット安否遠隔監視方法。被監視者の移動が停止していることから何らかの異常であることを自動的に判定できるという効果がある。
【０１０１】
［付記２］請求項１に記載のインターネット安否遠隔監視方法において、前記異常判断のステップは、所定の通過検出のステップで所定の頻度以上通過を検出したときに、所定条件で異常と判断することを特徴とするインターネット安否遠隔監視方法。通常は頻繁に移動しない場所を頻繁に移動することを異常として検出し、被監視者が移動をしている場合であっても異常を検出することができるという効果がある。そのため、たとえばトイレｇに頻繁に移動してればプライバシーを保護しつつ、被監視者が体調不調であることが判定できる。
【０１０２】
［付記３］請求項１に記載のインターネット安否遠隔監視方法において、前記通過履歴記憶のステップにおいて記憶された通過履歴から被監視者の通過場所と通過方向から現在の被監視者の場所を推定する現在地推定ステップをさらに備えたことを特徴とするインターネット安否遠隔監視方法。複数の検出手段を用いることで、被監視者の移動の場所と方向と時間が判るため、この通過履歴により現在の被監視者の位置を推定することができるという効果がある。そのため、たとえば、浴室やトイレ、寝室などで長時間移動が停止していれば、被監視者のプライバシーを保護しつつ被監視者が異常であることを判定できる。
【０１０３】
［付記４］請求項２に記載のインターネット安否遠隔監視方法において、前記状態情報入力のステップで入力される状態情報が、被監視者の就寝状態若しくは起床状態であって、前記異常判定のステップは、通過検出のステップで所定時間を超えて通過を検出しないときに異常と判定する時間を、起床状態より就寝状態の方が長時間に設定されたことを特徴とするインターネット安否遠隔監視方法。
（効果）被監視者が就寝中であるか起床中であるかがわかるため、たとえば就寝中に長時間移動がなくても異常ではないことが判る。そのため、異常を高い精度で判定できるという効果がある。
【０１０４】
「付記５」請求項２に記載のインターネット安否遠隔監視方法において、前記状態情報入力のステップで入力される状態情報が、被監視者の就寝状態若しくは起床状態であって、前記異常判定のステップは、前記状態情報として就寝情報が入力されている場合は、特定場所での検出を異常と判定することを特徴とするインターネット安否遠隔監視方法。被監視者が就寝中であるか起床中であるかがわかるため、たとえば、就寝中に玄関からの通過があれば不法侵入の蓋然性が極めて高いことが判る。そのため、異常を高い精度で判定できるという効果がある。
【０１０５】
［付記６］請求項４又は請求項５に記載のインターネット安否遠隔監視方法において、前記異常時映像送信のステップにおいて、前記撮影手段により撮影した映像を前記監視者の表示手段に表示するときは、前記被監視者に対してインターネットを介して前記監視端末により所定の報知手段で報知する撮影報知のステップを備えたことを特徴とするインターネット安否遠隔監視方法。異常と判定された場合に、被監視者の映像が監視者に送信されるが、この場合被監視者に映像が送信されていることを報知することで、被監視者が知らずに映像が送信されることを防止してプライバシーを保護することができるという効果がある。
【０１０６】
［付記７］請求項４又は請求項５に記載のインターネット安否遠隔監視方法において、前記異常時映像送信のステップにおいて、撮影手段により撮影した映像を監視者の表示手段に表示するときに、併せて当該被監視者からの音声を採取して監視者に聴取可能に送信する音声採取のステップと、監視者から送信された音声を当該被監視者に聴取可能に発声させる音声発声のステップとを実行することを特徴とするインターネット安否遠隔監視方法。被監視者と監視者が音声により意思確認ができる。そのため、急病や怪我で身体は動かないような場合に、声による会話で、より適切な救護活動ができるという効果がある。
【０１０７】
［付記８］請求項６乃至請求項８のいずれか１項に記載のインターネット安否遠隔監視方法において、前記マトリクスデータ送信のステップは、前記状態情報に応じた時間帯を異なる色彩若しくは反転表示で表示することを特徴とするインターネット安否遠隔監視方法。モード毎に異なる色彩とすることで、マトリクス表示でどの時間がどのモード、例えば、在宅モードか不在の警戒モードか、あるいは、就寝中か起床中かが一覧で理解できる。
【０１０８】
［付記９］請求項９の記載のインターネット安否遠隔監視方法において、前記被監視者所在表示データ送信のステップは、前記通過検出手段間の移動を、表示された前記通過検出手段を線で結ぶことにより表示することを特徴とするインターネット安否遠隔監視方法。画面上に表示された通過検出手段を線で結んで被監視者の移動を表示するため、監視者は容易に被監視者の移動の状態や、その所在を把握することができるという効果がある。
【０１０９】
［付記１０］請求項９に記載のインターネット安否監視方法において、前記被監視者所在表示データ送信のステップは、前記通過検出手段間の移動を、表示された前記通過検出手段間をアイコンの移動で表示することを特徴とするインターネット安否遠隔監視方法。画面上に表示された通過検出手段をアイコンを移動させて被監視者の移動を表示するため、監視者は容易に被監視者の移動の状態や、その所在を把握することができるという効果がある。特にアイコンを人間の形状にしたりフラッシュなどで歩く動作をさせることで、画面表示の内容が直感的に理解できる。さらにアイコンを変化させることで、所在地を明示することもできる。
【０１１０】
［付記１１］請求項９に記載のインターネット安否監視方法において、前記被監視者所在表示データ送信のステップは、前記監視者の表示手段に表示された前記複数の通過検出手段に囲まれたそれぞれのエリアを表示するエリア表示のステップをさらに実行すること。被監視者の異常が判定された場合などに、エリアによりひ監視者の所在を分かり易く表示することができるという効果がある。
【０１１１】
［付記１２］請求項９若しくは付記９乃至付記１１のいずれか１項に記載のインターネット安否監視方法において、前記被監視者所在表示データ送信のステップは、管理区域の間取りを表示する表示データと併せて送信することをさらに実行すること。間取りと通過検出手段を併せて表示することで、より分かり易い表示とすることができるという効果がある。
【０１１２】
【発明の効果】
以上、詳述したように、本願発明のインターネット安否遠隔監視方法では、プライバシーを保護しつつ、かつ少ない誤認識で異常を自動報知できるという効果がある。
【図面の簡単な説明】
【図１】インターネット安否遠隔監視システム１の構成を示す概略図。
【図２】本システム１の管理区域である被監視者の自宅を示す平面図。
【図３】監視者ＰＣ６・携帯電話８に表示されるマトリクス画面６０を示す図。
【図４】長時間通過の検出がないことから異常と判定される場合のマトリクス画面６１を示す図。
【図５】体調不良と判定される場合に注意を報知するマトリクス画面６２を示す図。
【図６】警戒モードにおける異常と判定されるマトリクス画面６３を示す図。
【図７】モード切替スイッチ３４を示す図。
【図８】監視者ＰＣ６等に表示される被監視者所在表示画面６４を示す図。
【図９】監視者ＰＣ６等に表示される通過センサ配置入力画面６５を示す図。
【図１０】例えば大型の倉庫など広い面積の空間で夜間の防犯などにインターネット安否遠隔監視システム１を適用した場合の表示画面６６を示す図。
【図１１】通過センサＴ１〜Ｔ１６を配置位置に応じて表示する表示画面６７を示す図。
【符号の説明】
１…インターネット安否遠隔監視システム、２…監視端末、２１…コンピュータ、２２…ＣＰＵ、２３…ＲＡＭ、２４…ＲＯＭ、２５・２６…インタフェース、２７…モデム、２８…ルータ、２９…（Ｗｅｂ）カメラ、３０ａ〜３０ｅ…通過センサ、３１…各種センサ、３２…浴室用動き検知センサ、３３…非常ボタン、３４…モード切替スイッチ、３５…電源コントローラ、４…安否遠隔監視サーバ、４１…コンピュータ、４２…ＣＰＵ、４３…ＲＡＭ、４４…ＲＯＭ、４５…インタフェース、４６…通過履歴マスタ、４７…判定テーブル、４８…顧客マスタ、５…インターネット、６…監視者ＰＣ、６０，６１，６２，６３…マトリクス画面、７…携帯電話網、８…携帯電話
【図１】
2004326623.tif 000003
【図２】
2004326623.tif 000004
【図３】
2004326623.tif 000005
【図４】
2004326623.tif 000006
【図５】
2004326623.tif 000007
【図６】
2004326623.tif 000008
【図７】
2004326623.tif 000009
【図８】
2004326623.tif 000010
【図９】
2004326623.tif 000011
【図１０】
2004326623.tif 000012
【図１１】
2004326623.tif 000013